(57)【要約】【課題】  所定の機能を実行する前に、設定した内容を分かりやすい形式で再度ユーザに通知することにより、機能実行時の失敗を防止することが可能な画像処理装置を提供する。【解決手段】  所定の機能に係る設定内容を示す設定情報が入力される入力手段と、入力された設定情報に基づいて、設定内容の要約である設定確認情報を生成する設定確認情報生成手段と、生成された設定確認情報に基づいて、設定内容の要約の報知を機能の実行前に行う報知手段と、を有する。【選択図】  図１
2007028423.tif 000002
【特許請求の範囲】
【請求項１】
所定の機能の実行前に、該機能に係る設定内容を報知することを特徴とする画像処理装置。
【請求項２】
所定の機能に係る設定内容を示す設定情報が入力される入力手段と、
前記入力された設定情報に基づいて、前記設定内容の要約である設定確認情報を生成する設定確認情報生成手段と、
前記生成された設定確認情報に基づいて、前記設定内容の要約の報知を前記機能の実行前に行う報知手段と、
を有することを特徴とする画像処理装置。
【請求項３】
前記報知手段は、画面表示による報知、及び、音声出力による報知、のうち少なくとも１つにより、前記設定内容の要約の報知を行うことを特徴とする請求項２記載の画像処理装置。
【請求項４】
前記報知手段によって報知される前記設定内容の要約の詳細についてカスタマイズ可能なカスタマイズ手段を有することを特徴とする請求項２又は３記載の画像処理装置。
【請求項５】
所定の機能の実行前に、該機能に係る設定内容を報知することを特徴とする設定報知方法。
【請求項６】
所定の機能に係る設定内容を示す設定情報が入力される入力ステップと、
前記入力された設定情報に基づいて、前記設定内容の要約である設定確認情報を生成する設定確認情報生成ステップと、
前記生成された設定確認情報に基づいて、前記設定内容の要約の報知を前記機能の実行前に行う報知ステップと、
を有することを特徴とする設定報知方法。
【請求項７】
前記報知ステップは、画面表示による報知、及び、音声出力による報知、のうち少なくとも１つにより、前記設定内容の要約の報知を行うことを特徴とする請求項６記載の設定報知方法。
【請求項８】
前記報知ステップにて報知される前記設定内容の要約の詳細について、操作者によってカスタマイズが行われるカスタマイズステップを有することを特徴とする請求項６又は７記載の設定報知方法。
【請求項９】
所定の機能の実行前に、該機能に係る設定内容を報知する処理を画像処理装置に実行させるプログラム。
【請求項１０】
所定の機能に係る設定内容を示す設定情報に基づいて、前記設定内容の要約である設定確認情報を生成する設定確認情報生成処理と、
前記生成された設定確認情報に基づいて、前記設定内容の要約の報知を前記機能の実行前に行う報知処理と、
を画像処理装置に実行させるプログラム。
【請求項１１】
前記報知処理として、画面表示による報知、及び、音声出力による報知、のうち少なくとも１つにより、前記設定内容の要約の報知を画像処理装置に実行させる請求項１０記載のプログラム。
【請求項１２】
前記報知処理にて報知される前記設定内容の要約の詳細について、操作者の指示に基づいてカスタマイズするカスタマイズ処理を画像処理装置に実行させる請求項１０又は１１記載のプログラム。
【発明の詳細な説明】
【技術分野】
【０００１】
本発明は、画像処理装置に関し、より詳細には、所定の機能を実行する際の設定内容について、分かりやすい形式でユーザに報知する画像処理装置、設定報知方法、及びプログラムに関する。
【背景技術】
【０００２】
現在、デジタル複合機等の画像処理装置では、機能毎のアプリケーションを有し、これらのアプリケーションにより動作するものがある。このような画像処理装置の従来技術例として、「画像形成装置、画像形成方法、及び、その画像形成装置に印刷指示を行う情報処理装置」がある（例えば、特許文献１参照）。
【特許文献１】特開２００４−３０３２２４号公報
【発明の開示】
【発明が解決しようとする課題】
【０００３】
一般的に、画像処理装置で所定の機能、例えば、印刷機能を実行する場合、ユーザは操作パネル等を介して、希望する用紙のサイズ、変倍、枚数など、印刷機能の実行に必要な設定操作を予め行う。
【０００４】
しかしながら、ユーザは、自分の希望する設定で印刷するためには、その画像処理装置固有の操作方法を理解しなければならない。また、ユーザが印刷前に設定した内容は、画像処理装置固有の領域に表示されるため、設定した内容が正しいかどうかを確認しにくいものもある。
【０００５】
このように、大抵のユーザは、画像処理装置固有の操作方法を熟知しているわけではなく、設定した情報をきちんと確認しないまま印刷を開始してしまい、所望の印刷結果が得られないことがあった。
【０００６】
本発明は、上記事情に鑑みてなされたものであり、所定の機能を実行する前に、その機能に関する設定内容を分かりやすい形式で再度ユーザに通知することにより、機能実行時の失敗を防止することが可能な画像形成装置、設定報知方法、及びプログラムを提供することを目的とする。
【課題を解決するための手段】
【０００７】
かかる目的を達成するために、請求項１記載の発明は、操作者によって設定された設定内容について、所定の機能の実行前に操作者に対して報知することを特徴とする。
【０００８】
請求項２記載の発明は、所定の機能に係る設定内容を示す設定情報が入力される入力手段と、入力された設定情報に基づいて、設定内容の要約である設定確認情報を生成する設定確認情報生成手段と、生成された設定確認情報に基づいて、設定内容の要約の報知を機能の実行前に行う報知手段と、を有することを特徴とする。
【０００９】
請求項３記載の発明は、請求項２記載の発明において、報知手段は、画面表示による報知、及び、音声出力による報知、のうち少なくとも１つにより、設定内容の要約の報知を行うことを特徴とする。
【００１０】
請求項４記載の発明は、請求項２又は３記載の発明において、報知手段によって報知される設定内容の要約の詳細について操作者がカスタマイズ可能なカスタマイズ手段を有することを特徴とする。
【００１１】
請求項５記載の発明は、所定の機能の実行前に、機能に係る設定内容を報知することを特徴とする。
【００１２】
請求項６記載の発明は、所定の機能に係る設定内容を示す設定情報が入力される入力ステップと、入力された設定情報に基づいて、設定内容の要約である設定確認情報を生成する設定確認情報生成ステップと、生成された設定確認情報に基づいて、設定内容の要約の報知を機能の実行前に行う報知ステップと、を有することを特徴とする。
【００１３】
請求項７記載の発明は、請求項６記載の発明において、報知ステップは、画面表示による報知、及び、音声出力による報知、のうち少なくとも１つにより、設定内容の要約の報知を行うことを特徴とする。
【００１４】
請求項８記載の発明は、請求項６又は７記載の発明において、報知ステップにて報知される設定内容の要約の詳細について、操作者によってカスタマイズが行われるカスタマイズステップを有することを特徴とする。
【００１５】
請求項９記載の発明は、所定の機能の実行前に、機能に係る設定内容を報知する処理を画像処理装置に実行させる。
【００１６】
請求項１０記載の発明は、所定の機能に係る設定内容を示す設定情報に基づいて、設定内容の要約である設定確認情報を生成する設定確認情報生成処理と、生成された設定確認情報に基づいて、設定内容の要約の報知を機能の実行前に行う報知処理と、を画像処理装置に実行させる。
【００１７】
請求項１１記載の発明は、請求項１０記載の発明において、報知処理として、画面表示による報知、及び、音声出力による報知、のうち少なくとも１つにより、設定内容の要約の報知を画像処理装置に実行させる。
【００１８】
請求項１２記載の発明は、請求項１０又は１１記載の発明において、報知処理にて報知される設定内容の要約の詳細について、操作者の指示に基づいてカスタマイズするカスタマイズ処理を画像処理装置に実行させる。
【発明の効果】
【００１９】
本発明によれば、所定の機能を実行する前に、設定した内容を分かりやすい形式で再度ユーザに通知することにより、機能実行時の失敗を防止することが可能となる。
【発明を実施するための最良の形態】
【００２０】
以下、本発明を実施するための最良の形態について添付図面を参照して詳細に説明する。
【００２１】
まず、本発明の第１の実施形態について説明する。
本実施形態では、印刷開始時にユーザが設定した内容のうち、印刷結果に大きな影響を及ぼす基本的な事項に絞って、再度分かりやすく表示することで、ユーザに対して、設定した内容（設定情報）の確認を促すことを目的とする。なお、本明細書において「ユーザ」とは、「画像形成装置を操作する者」の意味である。
【００２２】
本発明の画像処理装置の一実施形態として、多種の機能を有する画像形成装置について説明する。本実施形態の画像形成装置は、図１のブロック図に示す機能構成を有する。
【００２３】
図１において、画像形成装置１２００は、プロッタ１２０１と、スキャナ１２０２と、ＦＣＵ（Fax Control Unit）１３２０と、その他ハードウェアリソース１２０３などを有するとともに、プラットフォーム１２２０とアプリケーション１２３０とから構成されるソフトウェア群１２１０と、画像形成装置起動部１２４０とを備えている。
【００２４】
画像形成装置起動部１２４０は、画像形成装置１２００の電源投入時に先ず始めに実行され、プラットフォーム１２２０やアプリケーション１２３０を起動する。
【００２５】
プラットフォーム１２２０は、コントロールサービス１２５０と、システムリソースマネージャー（ＳＲＭ（System Resource Manager）１２２３）と、ＯＳ（Operating System）１２２１とを有する。
【００２６】
このコントロールサービス１２５０は、複数のサービスモジュールにより形成され、具体的には、ＳＣＳ（System Control Service）１２２２と、ＥＣＳ（(Engine Control Service)１２２４と、ＭＣＳ（Memory Control Service）１２２５と、ＯＣＳ（Operation panel Control Service）１２２６と、ＦＣＳ（FAX Control Service）１２２７と、ＮＣＳ（Network Control Service）１２２８と、ＩＭＨ（Imaging Memory Handler）１２２９とがある。なお、このプラットフォーム１２２０は、あらかじめ定義された関数により前記アプリケーションからの処理要求を受信可能とするアプリケーションプログラムインターフェース（ＡＰＩ）１２０５を有する。
【００２７】
ＯＳ１２２１は、ＵＮＩＸ（登録商標）などのオペレーティング・システムであり、プラットフォーム１２２０並びにアプリケーション１２３０の各ソフトウェアをそれぞれプロセスとして並列実行する。
【００２８】
ＳＲＭ１２２３は、ＳＣＳ１２２２とともにシステムの制御およびリソースの管理を行う。
【００２９】
ＳＣＳ１２２２は、アプリケーション管理，操作部制御，システム画面表示，ＬＥＤ表示，ハードウェア資源管理，割り込みアプリケーション制御などの処理を行う。
【００３０】
ＥＣＳ１２２４は、ＦＣＵ１３２０、プロッタ１２０１、スキャナ１２０２、その他ハードウェアリソース１２０３などのエンジン部を制御する。
【００３１】
ＭＣＳ１２２５は、メモリ制御を行う。
【００３２】
ＯＣＳ１２２６は、オペレータと本体制御間の情報伝達手段となる操作パネル、すなわちオペレーションパネル１３１０を制御する。
【００３３】
ＦＣＳ１２２７は、ファクシミリ送受信を行う。
【００３４】
ＮＣＳ１２２８は、ネットワークＩ／Ｏを必要とするアプリケーションに対して共通に利用できるサービスを提供する。
【００３５】
本実施例において、ＮＣＳ１２２８は、複数のプロトコルのうちｈｔｔｐｄ（Hypertext Transfer Protocol Daemon）７０によって、インターネットを介して接続されるネットワーク機器とのデータ通信をＨＴＴＰ（Hypertext Transfer Protocol）で制御し、ＨＴＴＰリクエストヘッダで指定される処理に必要な複数のＷｅｂサービスを関数コールによって起動し、その複数のＷｅｂサービスによる処理結果をＨＴＴＰレスポンスで該ネットワーク機器へ通知する。Ｗｅｂサービスは、例えば、ＸＭＬ（eXtensible Markup Language）によって記述されたメッセージに従って処理を行う。
【００３６】
ＩＭＨ１２２９は、イメージデータを仮想メモリ領域（ユーザ仮想空間）から物理メモリへマップする。
【００３７】
アプリケーション１２３０は、ページ記述言語（ＰＤＬ）、ＰＣＬおよびポストスクリプト（ＰＳ）を有するプリンタ用のアプリケーションであるプリンタアプリ１２１１と、コピー用アプリケーションであるコピーアプリ１２１２と、ファクシミリ用アプリケーションであるファックスアプリ１２１３と、スキャナ用アプリケーションであるスキャナアプリ１２１４と、ＷｅｂサービスアプリケーションであるＷｅｂサービス処理アプリ１２１５とを有する。
【００３８】
コピーアプリ１２１２において、設定確認実行部１４００は、コピーサービスファンクションの一つであり、ユーザにより設定された内容を要約し、確認用の画面を生成する。この設定確認実行部１４００は、ＡＰＩ１２０５を介してコントロールサービス１２５０を利用して、以下に説明する処理（図５参照）を行う。
【００３９】
各アプリケーション１２１１〜１２１５は、プラットフォーム１２２０上の各プロセスを利用して動作実行される。
【００４０】
このように、画像形成装置１２００は、各アプリで共通的に必要となる処理をプラットフォーム１２２０で一元的に処理する。
【００４１】
次に、画像形成装置１２００のハードウェア構成について説明する。図２は、図１に示す画像形成装置のハードウェア構成を示すブロック図である。図２に示すように、この画像形成装置１２００は、オペレーションパネル１３１０と、ＦＣＵ（ファックスコントロールユニット）１３２０、プロッタ１２０１、スキャナ１２０２及びその他ハードウェア１２０３とで構成されるエンジン部１３５０と、コントローラ１３００のＡＳＩＣ１３０１とをＰＣＩ（Peripheral Component Interconnect）バス等で接続した構成となる。
【００４２】
ＦＣＵ１３２０は、受信したファックスデータを格納するための不揮発性メモリ１３２１と、ＦＣＵ１３２０内での時間を計測するためのＲＴＣ（Real Time Clock）１３２２とを有し、通常Ｇ３規格に従ってファックスデータの送受信を行う。ＦＣＵ１３２０は、オプションとして更にＧ３規格とＧ４規格とを搭載してもよい。
【００４３】
コントローラ１３００は、ＡＳＩＣ１３０１にＭＥＭ−Ｃ１３０２、ＨＤＤ（Hard Disk Drive）１３０３などを接続するとともに、このＡＳＩＣ１３０１とＣＰＵ１３０４とをＣＰＵチップセットのＮＢ１３０５を介して接続している。このように、ＮＢ１３０５を介して接続する理由は、ＣＰＵ１３０４自体のインターフェイスが公開されていないためである。
【００４４】
ＣＰＵ１３０４は、画像形成装置１２００の全体制御を行うものであり、具体的には、ＯＳ１２２１上でプラットフォーム１２２０を形成するＳＣＳ１２２２、ＳＲＭ１２２３、ＥＣＳ１２２４、ＭＣＳ１２２５、ＯＣＳ１２２６、ＦＣＳ１２２７、ＮＣＳ１２２８をそれぞれプロセスとして起動して実行させるとともに、アプリケーション１２３０を形成するプリンタアプリ１２１１、コピーアプリ１２１２、ファックスアプリ１２１３、スキャナアプリ１２１４、Ｗｅｂサービス処理アプリ１２１５を起動して実行させる。
【００４５】
ＮＢ１３０５は、ＣＰＵ１３０４とＭＥＭ−Ｐ１３０６、ＳＢ１３０７、ＡＳＩＣ１３０１とを接続するためのブリッジであり、ＭＥＭ−Ｐ１３０６は、画像形成装置の描画用メモリなどとして用いるシステムメモリであり、ＭＥＭ−Ｃ１３０２は、コピー用画像バッファ、符号バッファとして用いるローカルメモリであり、ＡＳＩＣ１３０１は、画像処理用のハードウェア要素を有する画像処理用途向けのＩＣである。
【００４６】
ＮＢ１３０５は、ＰＣＩバスを介してＳＢ１３０７と接続する他、ネットワーク通信を制御するＮＩＣ（Network Interface Card）１３１１と、ＵＳＢディスクとして扱うことでデータを取り込むことができるＵＳＢ（Universal Serial Bus）ターゲット１３１２と、ＩＥＥＥ1394専用のケーブルで接続可能なＩＥＥＥ1394１３１３と、パラレルケーブルによって接続可能なセントロニクス１３１４と、シリアルケーブルによって接続可能なシリアル１３１５と、他のＵＳＢターゲット（例えば、パーソナルコンピュータ）と接続し大容量の画像データの送受信を可能とするＵＳＢホスト１３１６とを接続する。
【００４７】
ＳＢ１３０７は、ＮＢ１３０５とＲＯＭ、ＰＣＩデバイス、周辺デバイスとを接続するためのブリッジである。ＳＢ１３０７は、コントローラ１３００での時間を計測するＲＴＣ（Real Time Clock）１３２３を有する。また、ＳＢ１３０７は、内部にＵＳＢホストを有し、例えば、ＵＳＢ接続のカメラを接続することで画像データを取り込むことが可能であり、また、他のＵＳＢターゲットからデータを受け取ることも可能である。
【００４８】
画像形成装置１２００では、ＳＢ１３０７、ＮＩＣ１３１１、ＵＳＢターゲット１３１２、ＩＥＥＥ1394１３１３、セントロニクス１３１４、シリアル１３１５、ＵＳＢホスト１３１６、ＦＣＵ１３２０の標準のＧ３、Ｇ３オプション、Ｇ４オプションの複数のポートを介して送受信されるデータがＨＤＤ１３０３に蓄積され一元的に管理される。
【００４９】
ＨＤＤ１３０３は、画像データの蓄積、プログラムの蓄積、フォントデータの蓄積、フォームの蓄積を行うためのストレージである。
【００５０】
オペレーションパネル１３１０は、上述したように、ユーザからの入力操作の受け付け並びにユーザに向けた表示を行う操作パネル部である。
【００５１】
したがって、ＡＳＩＣ１３０１には、ＭＥＭ−Ｃ１３０２を接続するためのＲＡＭインターフェイスと、ＨＤＤ１３０３を接続するためのハードディスクインターフェースが設けられ、これらの記憶部に対して画像データの入出力を行う場合には、入出力先がＲＡＭインターフェイスまたはハードディスクインターフェースに切り替えられる。
【００５２】
ＡＧＰ１３０８は、グラフィック処理を高速化するために提案されたグラフィックスアクセラレーターカード用のバスインターフェイスであり、システムメモリに高スループットで直接アクセスすることにより、グラフィックスアクセラレーターカードを高速にする。
【００５３】
以下、本実施形態の処理の概要について図３〜図５を参照して説明する。図３は、オペレーションパネルに表示される設定画面（ユーザが印刷条件等を設定するための画面）の一例を示す図であり、図４は、オペレーションパネルに表示される設定確認画面（ユーザが設定済みの内容を確認するための画面であり、設定内容を要約した表示の画面）の一例を示す図である。また、図５は、本実施形態の処理動作の流れを示すフローチャートである。
【００５４】
ユーザが画像形成装置にて印刷を行う場合を想定して説明する。
まず、コントロールサービス１２５０は、オペレーションパネル１３１０に表示された設定画面（図３参照）の所定領域の押下を検知することにより、ユーザによる設定が行われたかどうかを判断する（ステップＳ１）。少なくとも１以上の設定情報（用紙の種類、変倍、印刷面、印刷枚数等）の入力が行われた場合（ステップＳ１／ＹＥＳ）、コントロールサービス１２５０は、入力された設定情報を設定確認実行部１４００へ通知し、設定確認実行部１４００は、コントロールサービス１２５０を使って、入力された設定情報に基づいて、設定確認画面情報を生成する（ステップＳ２）。この設定確認画面情報は、設定内容を要約した表示画面である設定確認画面を表示するための情報である。そして、設定確認実行部１４００は、生成した設定確認画面情報をコントロールサービス１２５０へ通知する（ステップＳ３）。
【００５５】
コントロールサービス１２５０は、設定確認画面情報に従って、表示処理を実行する。つまり、コントロールサービス１２５０は、オペレーションパネル１３１０を制御して、図４に示すように、設定画面１０上に設定確認画面１１を表示させる（ステップＳ４）。
【００５６】
次に、ユーザによる印刷指示の有無を判断する（ステップＳ５）。つまり、ユーザが図４に示す設定確認画面１１で設定内容を確認後、ユーザによりオペレーションパネル１３１０において印刷開始を指示する操作が行われた場合（ステップＳ５／ＹＥＳ）、コントロールサービス１２５０は、プロッタ１２０１を制御して、設定された内容に基づいて所定の媒体に印刷処理を行う（ステップＳ６）。ユーザによる印刷開始を指示する操作が行われなかった場合（ステップＳ５／ＮＯ）、コントロールサービス１２５０は、オペレーションパネル１３１０に表示されている設定確認画面の表示を中止し、元の設定画面（図３参照）に戻す。
【００５７】
上記処理動作についてさらに具体的に説明すると、ユーザが画像形成装置にて印刷を行う場合、ユーザは、オペレーションパネルに表示される設定画面１０上の所定の領域を押下することで各種設定を行う。例えば、図３に示す設定画面１０において、ユーザが、印刷する用紙を選択するための領域１、印刷するサイズを選択するための領域２、原稿の枚数を指定するための領域３、印刷する枚数を指定する領域４、原稿の印刷面を指定するための領域５、印刷する面を選択するための領域５を押下して設定を行った場合、実際に印刷を開始する前に、図４に示すように、上記各領域の押下により設定された内容を要約した設定確認画面１１が設定画面１０上に表示される。
【００５８】
ユーザは、設定確認画面１１で表示された設定内容に誤りがなければ、印刷開始を指示する操作、すなわち、図４に示す設定確認画面１１の「はい」の領域を押下する。その後、設定内容に基づいて印刷処理が行われる。設定確認画面の設定内容に誤りがあれば、ユーザは、図４に示す設定確認画面１１の「いいえ」の領域を押下する。その後、印刷処理には移行せず、図３の設定画面１０が再び表示される。
【００５９】
なお、本実施形態では、図４の設定確認画面１１の表示において、設定内容を１つの文章にまとめた表示形態としたが、この表示形態に限定されるものではなく、図表等を用いた表示形式でもよい。つまり、ユーザが設定内容を確認しやすい表示形態であればよい。
【００６０】
以上のように、本実施形態の画像処理装置は、印刷が開始される前に、ユーザにより設定された設定情報を分かりやすくまとめた形式で表示するため、ユーザは容易に印刷が希望通りに行われるかどうかを印刷実行前に確認することができ、印刷の失敗を防ぐことができる。
【００６１】
次に、本発明の第２の実施形態について説明する。
本実施形態では、印刷開始前にユーザが設定した内容を音声で伝えることで、オペレーションパネル上の表示で設定情報を確認する手間を省くことを目的とする。
【００６２】
本実施形態の画像形成装置の構成及び処理動作は、上記第１の実施形態の画像形成装置と基本的に同じである。上記第１の実施形態と異なる点は、構成として、スピーカ等の音声出力部を備え、処理動作として、第１の実施形態での設定確認画面の表示の代わりに、設定内容を確認するための音声ガイドを音声出力部から出力する。よって、本実施形態の画像形成装置は、図１及び図２に示す構成に加え、音声出力部を備える。また、図５に示す処理動作において、設定確認実行部１４００は、設定確認画面情報を生成する代わりに、設定情報に基づいて設定確認音声情報を生成し（ステップＳ２）、設定確認音声情報の通知を受けたコントロールサービス１２５０は、音声出力部を制御して音声出力処理を行う（ステップＳ３〜４）。つまり、設定確認音声情報に基づいた音声ガイドを音声出力部から装置外部へ出力し、ユーザに対して音声で設定内容を通知する。音声ガイドは、設定内容を要約した音声ガイドであり、例えば、図４に示す設定確認画面１１の表示を音声化したものである。
【００６３】
以上のように、本実施形態の画像処理装置は、ユーザにより設定された設定情報をオペレーションパネル上で再度確認する必要がないため、設定の確認をしながら別の作業を行うことができ、作業効率が上がる。
【００６４】
次に、本発明の第３の実施形態について説明する。
本実施形態では、設定確認画面（又は音声ガイド）において表示（報知）する内容をユーザが任意にカスタマイズできる手段を備えることにより、ユーザが希望する設定内容のみを表示（報知）することを目的とする。
【００６５】
本実施形態の画像形成装置の構成及び処理動作は、第１の実施形態及び第２の実施形態の画像形成装置と基本的に同じである。ユーザは、図６に示すように、オペレーションパネルに表示される表示内容設定画面（設定確認画面又は設定確認音声で表示又は出力する内容について設定するための画面）１２において、図４の設定確認画面で表示する内容について予め設定することができる。例えば、設定確認画面又は設定確認音声において変倍の確認を希望しない場合、図６に示す表示内容設定画面１２において、ユーザは「変倍の確認」について「ＯＦＦ」を押下し、それ以外の設定情報（用紙サイズ、原稿サイズ、印刷枚数、片面／両面）については「ＯＮ」を押下することにより設定を行う。設定確認実行部１４００は、表示内容設定画面１２での設定に基づいて、変倍以外の設定情報（用紙サイズ、原稿サイズ、印刷枚数、片面／両面）を含む設定確認画面又は設定確認音声を生成する。
【００６６】
以上のように、本実施形態の画像処理装置は、ユーザが希望する設定情報のみを設定確認画面に表示するため、設定確認画面において、必要とする情報を見分ける手間が省け、確認しやすくなる。
【００６７】
以上、本発明の実施例について説明したが、上記実施例に限定されるものではなく、その要旨を逸脱しない範囲において種々の変形が可能である。例えば、上記実施例では、画像形成装置における印刷設定の場合について説明したが、本発明は、印刷以外の機能における設定の確認についても適用することができる。また、上記各実施例をそれぞれ組み合わせて実施してもよい。
【産業上の利用可能性】
【００６８】
本発明は、所定の機能を実行する際に、ユーザによって複数の設定が行われる装置全般に適用できる。
【図面の簡単な説明】
【００６９】
【図１】本発明の一実施形態に係る画像形成装置の機能構成を示すブロック図である。
【図２】図１に示す画像形成装置のハードウェア構成を示すブロック図である。
【図３】図１に示す画像形成装置で表示される設定画面の一例を示す図である。
【図４】図１に示す画像形成装置で表示される設定確認画面の一例を示す図である。
【図５】本発明の第１の実施形態に係る処理動作を示すフローチャートである。
【図６】図１に示す画像形成装置で表示される表示内容設定画面の一例を示す図である。
【符号の説明】
【００７０】
１、２、３、４、５、６    領域
１０    設定画面（入力手段の一例）
１１    設定確認画面（報知手段の一例）
１２    表示内容設定画面（カスタマイズ手段の一例）
１２００    画像形成装置
１２１２    コピーアプリ
１３１０    コントロールパネル（入力手段の一例）
１４００    設定確認実行部（設定確認情報生成手段の一例）
１２５０    コントロールサービス
【図１】
2007028423.tif 000003
【図２】
2007028423.tif 000004
【図３】
2007028423.tif 000005
【図４】
2007028423.tif 000006
【図５】
2007028423.tif 000007
【図６】
2007028423.tif 000008